(57)【要約】  【課題】  より薄く構成できるシャッターアイリスを提供する。  【解決手段】  シャッターアイリス１は、空芯ステッピングモータ１０と、このモータで直接開閉駆動される組み合わせ羽根８０を有する。モータ１０は、コイル２１を含む筒状のステータ１１、及び、ステータ２１内に回転可能に収められたマグネット４１を含む筒状のローター３１を有し、ローター３１の内孔が光路となっている。組み合わせ羽根８０は、ローター３１の回動により直接開閉駆動されて、光路の絞り及び開閉シャッターを兼ねる。【選択図】  図１
2005249812.tif 000002
【特許請求の範囲】
【請求項１】
コイルを含む筒状のステータ、及び、該ステータ内に回転可能に収められたマグネットを含む筒状のローター、を有し、該ローターの内孔が光路となっている空芯ステッピングモータと、
該モータに組み付けられた、前記ローターの回動により直接開閉駆動される、光路の絞り及び開閉シャッターを兼ねる、１セットの組み合わせ羽根と、
を具備することを特徴とするシャッターアイリス。
【請求項２】
前記ステータ又はそれが固定される部材に、前記組み合わせ羽根の固定支点が設けられており、
前記ローター又はそれに固定される部材に、前記組み合わせ羽根を開閉駆動するためのカムピンが設けられており、
前記組み合わせ羽根に、前記カムピンが係合するカム溝が設けられていることを特徴とする請求項１記載のシャッターアイリス。
【請求項３】
前記ローターの一方の側に、該ローターを固定部材に対して回動可能に支持する軸受けが設けられ、その反対側に、前記カムピンが設けられており、
該カムピンが、前記ローターを固定部材に対して回動可能に支持する軸受けとしても作用することを特徴とする請求項１又は２記載のシャッターアイリス。
【発明の詳細な説明】
【技術分野】
【０００１】
本発明は、カメラのアイリス（虹彩絞り）とシャッターの両者の作用を果たすシャッターアイリスに関する。特には、デジタルカメラ、ビデオカメラ、携帯電話などに搭載するのに適した小型かつ薄型のシャッターアイリスに関する。
【背景技術】
【０００２】
空芯ステッピングモータを用いてカメラの絞りを駆動させる機構としては、例えば、特許文献１、２、３に開示されているようなものがある。
【０００３】
【特許文献１】特開昭５７−１６５８２５号公報
【特許文献２】特開昭６２−８０６３６号公報
【特許文献３】特開平５−１０７５９１号公報
【０００４】
これらの内の特許文献２（特開昭６２−８０６３６号公報）について説明する。
図６は、特許文献２に開示されている空芯ステッピングモータを用いた絞り機構を説明する側面断面図である。
この空芯ステッピングモータ２００は、円環状のローター２０１と、このローター２０１の両側に配置されたステータユニット２０３、２０５を有する。各ステータユニット２０３、２０５は、各々励磁コイル２０７、２０９を磁性ヨーク２１１、２１３で包み込んだものである。ローター２０１は、ステータユニット２０３、２０５に対して回動自在に支持されている。
【０００５】
ローター２０１には、絞り羽根２２１の駆動ピン２２５が係合するカム溝２１５が形成されている。また、一方のステータユニット２０３の延伸部（内周突部）２０４には、絞り羽根２２１の回転軸２２３が回動自在に支持されている。各ステータユニット２０３、２０５に励磁電流を通電すると、ローター２０１が回転する。ローター２０１の回転により、カム溝２１５に係合している絞り羽根２２１の駆動ピン２２５が駆動されて、絞り羽根２２１が回転軸２２３を中心にして回転する。これらの羽根２２１の重なりにより、羽２２１の中央部に所定の口径の光路を得る。
【０００６】
以上説明したような空芯ステッピングモータを用いた絞り装置においては、モータの空洞内に絞り羽根を配置することができるため、全体の厚みを薄くできるという利点を有する。また、空芯ステッピングモータでない一般のモータ用いる場合は、絞り羽根を駆動する機構は扁平な形状であるが、モータが長い円柱状であるため、絞り装置全体としては、モータが絞り羽根駆動機構から突き出た、凹凸のある複雑な形状となる。このため、最終的に絞り装置をカメラに組み込む際には、カメラに絞り装置の形状に応じた空間を設ける必要があり、設計の自由度が低かった。しかし、空芯ステッピングモータを用いると、小型・薄型化が可能になるとともに、全体がほぼ円筒状の形状に収まるので、設計の自由度を高めることができる。
【０００７】
ところで、上記の特許文献は、いずれも空芯ステッピングモータを用いた絞り機構に関するものである。絞り機構とシャッター機構とを１セットの組み合わせ羽根で兼用し、この組み合わせ羽根を一つのアクチュエータ（空芯ステッピングモータ）で駆動させるような装置（シャッターアイリス）は、現在のところ開示されていない。
【発明の開示】
【発明が解決しようとする課題】
【０００８】
本発明は上記に鑑みてなされたものであって、より薄く構成できるシャッターアイリスを提供することを目的とする。
【課題を解決するための手段】
【０００９】
本発明のシャッターアイリスは、  コイルを含む筒状のステータ、及び、該ステータ内に回転可能に収められたマグネットを含む筒状のローター、を有し、該ローターの内孔が光路となっている空芯ステッピングモータと、  該モータに組み付けられた、前記ローターの回動により直接開閉駆動される、光路の絞り及び開閉シャッターを兼ねる、１セットの組み合わせ羽根と、を具備することを特徴とする。
【００１０】
空芯ステッピングモータは光路の外周に配置されているため、光路の径よりもモータ（組み合わせ羽根のアクチュエータ）の径を相当大きくできる。このようなモータを用いて組み合わせ羽根を直接かつ細かいステップで開閉駆動することにより、組み合わせ羽根を高速及び高分解能で開閉でき、シャッターへの適用も可能になる。したがって、１セットの組み合わせ羽根で光路の絞りと開閉シャッターを兼ねることができる。さらに、この組み合わせ羽根を一つの空芯ステッピングモータで駆動することにより、シャッターアイリス全体を薄くすることができる。
【００１１】
本発明においては、  前記ステータ又はそれが固定される部材に、前記組み合わせ羽根の固定支点が設けられており、  前記ローター又はそれに固定される部材に、前記組み合わせ羽根を開閉駆動するためのカムピンが設けられており、  前記組み合わせ羽根に、前記カムピンが係合するカム溝が設けられていることとできる。
【００１２】
また、本発明においては、  前記ローターの一方の側に、該ローターを固定部材に対して回動可能に支持する軸受けが設けられ、その反対側に、前記カムピンが設けられており、  該カムピンが、前記ローターを固定部材に対して回動可能に支持する軸受けとしても作用することとできる。
ここで、一方の軸受けをボールとして、他方の軸受けをカムピンで兼用することにより、ローターを回転可能に支持するための機構を簡単にできるとともに、この機構に必要な部品の数を少なくできる。
【発明の効果】
【００１３】
以上の説明から明らかなように、本発明によれば、小型で薄く、かつ、凹凸の少ないシャッターアイリスを提供できる。そして、このようなシャッターアイリスを用いることにより設計の自由度が高くなり、カメラをさらに薄型にできる。
【発明を実施するための形態】
【００１４】
以下、本発明の実施の形態について、図面を参照しながら詳細に説明する。
図１は、本発明の実施の形態に係るシャッターアイリスの構造を示す図であり、図１（Ａ）は側面断面図、図１（Ｂ）は正面図である。
図２は、図１のシャッターアイリスの分解斜視図である。
シャッターアイリス１は、空芯ステッピングモータ１０と、このモータ１０によって直接駆動される１セット（３枚）の組み合わせ羽根８０と、固定枠５１とを備える。空芯ステッピングモータ１０は全体としてリング状のものであり、光軸ＯＡを中心として、光路の外側に配置されている。そして、組み合わせ羽根８０は、同モータ１０の内孔において、光軸ＯＡに直交する面内に配置されている。この組み合わせ羽根８０は、光軸ＯＡを中心とする内孔の径を変えるように駆動されて光路の絞りを行う。さらに、内孔を閉じるまで駆動されて光路を閉じるシャッターとして作用する。
なお、図１（Ａ）、図２において、組み合わせ羽根８０が配置されている図の左側を羽根側、その反対側である図の右側を反羽根側とする。
【００１５】
まず、本実施例の空芯ステッピングモータ１０の構造を説明する。
図３は、本実施例の空芯ステッピングモータの構造を示す分解斜視図である。
図３に示すように、空芯ステッピングモータ１０は、筒状のステータ１１と、このステータ１１内に回転可能に収められた筒状のローター３１とを有する。ステータ１１とローター３１は、同心筒状に嵌め合わされて、光軸ＯＡの回り（光路）を取り巻くように配置されている。
【００１６】
ステータ１１は、軸方向に並んだ一対のステータヨーク１３Ａ、１３Ｂと、これらのステータヨークの間に挟まれるアウトサートボビン１７とが一体に組み合わされたものである。ステータヨーク１３Ａ、１３Ｂは環状のクローポールヨークであり、内周縁に沿って複数のクローポール１４Ａ、１４Ｂが光軸ＯＡの方向に延びるよう突き出ている。同ヨーク１３の外周縁には、円筒状の外周側壁１５Ａ、１５Ｂが形成されている。一方、アウトサートボビン１７には、各ステータヨーク１３Ａ、１３Ｂと組み合わせられる環状のクローポールヨーク１９Ａ、１９Ｂが備えられている。これらのクローポールヨーク１９Ａ、１９Ｂにも、内周縁に沿って光軸方向に突き出た複数のクローポール２０Ａ、２０Ｂが形成されている。ステータヨーク１３の各クローポール１４Ａ、１４Ｂと、アウトサートボビン１７に設けられたクローポールヨーク１９の各クローポール２０Ａ、２０Ｂは、互いに噛み合うように組み合わされている。組み合わされた各クローポールの外側にはコイル２１Ａ、２１Ｂ（図１（Ａ）参照）が巻かれており、ステッピングモータ１０のＡ相・Ｂ相を形成している。各相は、クローポールが１／２ピッチずれて配置されており、９０°位相がずれている。
【００１７】
各ステータヨーク１３Ａ、１３Ｂの外周側壁１５Ａ、１５Ｂの端面は当接し、それらの間にアウトサードボビン１７が挟まれて固定されている。同ボビン１７の外周側壁の一部には、コイル通電用の端子の取り出し部２３が、径方向に突出して設けられている。各ステータヨーク１３には、この取り出し部２３が位置する切り欠き１６Ａ、１６Ｂが形成されている。
【００１８】
ローター３１は、ステータ１１の内孔内に、ステータ１１と同心筒状に嵌め込まれている。そして、図１、図２に示す固定枠５１に回動可能に支持されている（支持方法については後述する）。図１（Ａ）に示すように、同ローター３１は、羽根側（図の左側）から反羽根側（図の右側）に、各々環状のカムピン取り付け板３３、マグネット４１、スリーブ４３が、軸方向に並んで相互に回動不能に組み合わされたものである。マグネット４１とスリーブ４３とは、嵌合固定されている。取り付け板３３は、同図に示すように、軸方向に延びる筒部３５と、この筒部３５の外周面から外方向に張り出した周縁部３７を有する。そして、筒部３５がマグネット４１に嵌め込まれて、周縁部３７がマグネット４１の端面に当たっている。縁部３７の外径はマグネット４１及びスリーブ４３の外径と等しいため、ローター３１の外周面は同径の円筒状となっている。
【００１９】
カムピン取り付け板３３の筒部３５の端面からは、３本のカムピン３９が光軸方向（図の左方向）に延びるように立設されている。各カムピン３９は、光軸ＯＡを中心にして１２０°振り分けて配置されている。
また、スリーブ４３の側面の複数箇所には、ボール４７（図１（Ａ）参照）が嵌合する穴４５が開けられている。各穴４５の断面は、内側から外側に向かって拡がる台形状である。
【００２０】
このローター３１は、ステータ１０の内孔内に、マグネット４１がステータ１０の軸方向ほぼ中央に位置するように配置されて、後述するように固定枠５１に回動自在に支持されている。
【００２１】
次に、図１、図２を参照して固定枠５１の構造を説明する。
固定枠５１は、羽根側ベース５３と、反羽根側ベース７１を有する。羽根側ベース５３は、ステッピングモータ１０の羽根側に配置され、反羽根側ベース７１はその反対側に配置されて、ステッピングモータ１０を両側から挟み込んでいる。そして、同モータ１０のステータ１１が固定枠５１に固定されて、ローター３１は固定枠５１に回動可能に支持されている。
【００２２】
図２に分かりやすく示すように、羽根側ベース５３は、ベース部５５と、同ベース部５５の外周縁から光軸ＯＡの双方向に延びる円筒状の外カバー部５７とを有する。ベース部５５の羽根側には、同ベース部５５と外カバー部５７とで囲まれた凹部（羽根収容凹部）５９が形成されている。この凹部５９に、後述する組み合わせ羽根８０が配置される。一方、ベース部５５の反羽根側にも、同ベース部５５と外カバー部５７で囲まれた凹部（モータ収容凹部）６１が形成されている。この凹部６１内には、ステッピングモータ１０が収容される。羽根収容凹部５９は、モータ収容凹部６１よりも内径が広く、深さが浅い。
【００２３】
ベース部５７の中央には、光軸ＯＡを中心とする開口６３が開けられている。この開口６３が、シャッターアイリス１の開口ＡＰとなる。開口６３の径は、モータ１０のローター３１の一部である羽根取り付け板３３の内径よりもやや狭い。一例として、開口６３の径は６．２ｍｍである。図１（Ａ）に分かりやすく示すように、開口６３は、ベース部５５の厚さ方向において、内側から外側へ向かって狭くなっている。
【００２４】
図１（Ａ）、図２に示すように、開口６３の周囲には、外方向（羽根側）へ突出する凸部６５が形成されている。凸部６５の外側には、３個の長孔６７が、光軸ＯＡを中心にして１２０°振り分けて形成されている。これらの長孔６７内を、ローター３１が回転したときにカムピン３９が通る。各長孔６７は、光軸ＯＡを中心とする円弧状で、円弧の角度は６０°である。そして、内周の径は、ローター３１が光軸ＯＡを中心として回転したときに、カムピン３９が描く内輪円の径に等しい。また、各長孔６７の外周の径は、ローター３１が光軸ＯＡを中心として回転したときにカムピン３９が描く外輪円の外径より大きい。
【００２５】
ベース部５５の外周付近には、羽根収容凹部５９内に光軸ＯＡの方向に延びる３本の羽根固定ピン６９が立設されている。同ピン６９は、光軸ＯＡを中心にして１２０°振り分けて配置されている。
【００２６】
反羽根側ベース７１は環状の部材であり、第1ブラケット７３と第２ブラケット７５からなる。第１ブラケット７３の羽根側の面には、モータ１０が収容される凹部（モータ収容凹部）７７が形成されている。第1ブラケット７３はモータ収容凹部７７が羽根側を向くように第２ブラケット７５に固定されている。また、各ブラケットの向かい合う面の内周縁には、えぐられた溝７８ａ、７８ｂが複数個形成されている。各溝７８ａ、７８ｂの位置は対応しており、各ブラケット７３、７５が固定されると、両溝７８ａ、７８ｂにより穴７９が構成される。この穴７９は、断面形状が、内側から外側へ拡がる台形状をなす。
【００２７】
これらの穴７９と、ローター３１のスリーブ４３に形成された穴４５の軸方向及び円周方向の位置は対応している。そして、これらの穴７９、４５で囲まれた空間にボール４７が収容されている。
【００２８】
なお、固定枠５１の反羽根側ベース７１を２つのブラケット７３、７５で構成したのは、組立時に、１つの部品では、穴７９に軸受けとなるボール４７をはめ込むことができないためである。
【００２９】
羽根側ベース５３と反羽根側ベース７１とは、モータ収容凹部６１、７７が向かい合うように配置されて、ステッピングモータ１０を両側から挟んでいる。モータ１０のステータ１１は、各凹部６１、７７内に収容されて、各ヨーク１３Ａ、１３Ｂが各ベース５３、７１に固定されている。
なお、各ベース５３、７１にも、前述したステッピングモータ１０の端子取り出し部２３が位置する切り欠き７０、７４が形成されている。
【００３０】
ローター３１は、ステータ１１の内孔内に配置されて、反羽根側においては、スリーブ４３が反羽根側ベース７１にボール４７によって回動可能に支持されている。そして、羽根側においては、カムピン３９が、羽根側ベース５３の長孔６７内を摺動するのに応じて、羽根側ベース５３に回動可能に支持されている。つまり、このカムピン３９が軸受けの作用も果たし、ローター３１は、羽根側ベース５３に対して長孔６７の長さ分だけ（中心角度が６０°の範囲内）回動する。この長孔６７の内周は、ローター３１回転時にカムピン３９が描く内輪円の径にほぼ等しいため、各カムピン３９は羽根側ベース５３の長孔６７の内周に当たり、同内周でガイドされて同孔６７内を移動する。このため、ローター３１は光軸ＯＡに対してぶれることなく回転できる。
【００３１】
次に、図１、図２を主に参照して、組み合わせ羽根８０について説明する。
組み合わせ羽根８０は、３枚の羽根部材８１Ａ、８１Ｂ、８１Ｃからなる。各羽根部材８１は、各図に示すような略Ｌ字型の薄い部材である。各羽根部材８１の内周部は、１２０°の角度で直線が交わる絞り形成部８３となっている。これらの絞り形成部８３が所定の形状に組み合わされて、絞りの大きさが決まる。また、各羽根部材８１の中央部には、前述したカムピン３９が貫通するカム溝８５が横切っている。さらに、同部材８１には、前述した羽根固定ピン６９が通る羽根固定用孔８７（図２参照）が開けられている。
【００３２】
各羽根部材８３は、羽根側ベース５３の羽根収容凹部５９内に、絞り形成部（内辺）８３が光軸ＯＡを取り巻く辺となるように配置される。そして、羽根固定用孔８７に同ベース５３から立設する各羽根固定ピン６９が通され、これにより、各羽根部材８３は、羽根固定ピン６９を中心として回転する。図に示すように、羽根部材８３がピン６９を中心として回転したときの回転方向における先端部は、隣の羽根部材の同回転方向における後端部の上に重なっている。
また、モータ１０のローター３１から立設するカムピン３９は、羽根側ベース５３の長孔６７を通って、各羽根部材８３のカム溝８５を貫通している。
【００３３】
羽根側ベース５３の羽根収容凹部５９には、押え板９０が被せられている。押え板９０の中央には、光軸ＯＡを中心とする開口９１が開けられている。開口９１の径は、羽根側ベース５３の開口６３の径よりやや広い。開口９１の周囲には、内方向（羽根の方向）に突出する凸部９３が形成されている。この凸部９３の径方向の位置は、羽根側ベース５３の開口６３の周囲の凸部６５の位置に対応している。さらに、凸部９３の外側には、３個の長孔９５が、光軸ＯＡを中心として１２０°振り分けて形成されている。これらの長孔９５の位置は、羽根側ベース５３に形成された長孔６７の位置に対応し、大きさは、長孔６７よりもやや大きい。
【００３４】
これらの長孔９５には、ローター３１から立設するカムピン３９が通る。また、押え板９０の外周付近には、３つの孔９７が開けられている。これらの孔９５には、羽根側ベース５３から立設する羽根固定ピン６９が通る。
【００３５】
図２に示すように、押え板９０の外周には、４つの取付部９８が形成されている。これらの取付部９８は、羽根側ベース５３の外カバー部５７に形成された４つの取付部６８に係合する。両取付部９８、６８が係合すると、押え板９０が羽根側ベース５３に取り付けられる。このとき、押え板９０の各長孔９５にはモータ１０のカムピン３９が通り、各孔９７には羽根側ベース５３の羽根固定ピン６９が通る。そして、組み合わせ羽根８０は、羽根側ベース５３の羽根収容凹部５９内に、押え板９０で押えられて固定される。各羽根部材８１のカム溝８５の内側の部分は、羽根側ベース５３の凸部６５と押え板９０の凸部９３とで挟まれる。
なお、図１（Ａ）に示すように、羽根固定ピン６９とカムピン３９の先端は、押え板９０からやや外側まで突き出ている。
【００３６】
次に、ステッピングモータ１０の駆動による組み合わせ羽根８０の動きについて説明する。
モータ１０のコイル２１に通電されてステータ１１が励磁されると、ローター３１が光軸ＯＡを中心として回転する。ここで、ローター３１は、反羽根側ではボール４５によって固定枠５３の反羽根側ベース７１に回転可能に支持されており、羽根側においては、カムピン３９により、羽根側ベース５３の長孔６７内を回動可能に支持されている。このため、ローター３１は、羽根側ベース５３の長孔６７の長さだけ（中心角が６０°の角度内）を回転する。
【００３７】
ローター３１が回転すると、各羽根部材８１のカム溝８５の内側（光軸ＯＡ側）の縁がカムピン３９で押されて、同羽根部材８１は固定ピン６９を中心として回転する。なお、各羽根部材８１のカム溝８５の形状や寸法は、ローター３１が中心角度が６０°の角度内を回転して、各カムピン３９が羽根側ベース５３の長孔６７内を端から端まで移動したときに、カムピン３９がカム溝８５を端から端まで移動するように設定されている。カムピン３９がカム溝８５を端から端まで移動する間に、各羽根部材８１の絞り形成部８３によって形成される絞りの大きさが変化する。つまり、カムピン３９がカム溝８５の一方の端に達したときに開口ＡＰは全閉（シャッター閉）となり、他方の端に達したときに開口ＡＰは全開となる。
【００３８】
図４は、絞りの大きさが変化した場合の羽根部材の位置関係を説明する図である。
羽根側から見て、カムピン３９が羽根側ベース５３の長孔６７の反時計方向に最も端に位置するとき、図４（Ａ）に示すように、同ピン３９は各羽根部材８１のカム溝８５の一端に位置する。このとき、各羽根部材８１は光軸ＯＡから最も外側に離れて位置し、各羽根部材８１はほとんど重なっていない。そして、各羽根部材８１の絞り形成部８３は、図のハッチングで示すような形状であり、羽根側ベース５３の開口６３よりも外側に位置する。このときのシャッターアイリス１の開口ＡＰは、羽根側ベース５３の開口６３となり、絞りが全開となる。なお、羽根部材８１の枚数を増やし、形状も工夫すれば、各羽根部材８１の絞り形成部８３で形成される形状を、円に近い開口形状とすることもできる。
【００３９】
そして、ローター３１が反時計方向に３０°回転すると、図４（Ｂ）に示すように、カムピン３９は各羽根部材８１のカム溝８５をほぼ中央まで進む。これにより、各羽根部材８１が同ピン３９で押されて、各固定ピン６９を中心として反時計方向に回転する。すると、各羽根部材８１は回転方向先端部が重なり、絞り形成部８３は、図のハッチングで示すような形状の小さい開口を形成する。
【００４０】
さらに、ローター３１が反時計方向に３０°回転すると、図４（Ｃ）に示すようにカムピン３９は各羽根部材８１のカム溝８５の反対側の端部まで進む。これにより、各羽根部材８１が固定ピン６９を中心にしてさらに反時計方向に回転して、各羽根部材８１の重なっている部分が広くなり、絞り形成部８３の中心角が重なり合う。これにより、開口は全閉となる。
【００４１】
以上説明したように、このシャッターアイリス１においては、モータ１０のローター３１を６０°の角度内で回転させることにより、開口ＡＰを全開状態から全閉状態の間で変化させている。そして、モータ１０が光路の外側に配置されて、ローター３１により直接組み合わせ羽根８０を駆動しているため、駆動トルクを高くできる。これにより、全開から全閉までを高速で移動できる。さらに、ローター３１の移動量を大きくできるので、ローター３１を細かいステップで回転させることにより、羽根を細かいステップで駆動できる。このため、絞りを高い分解能で設定できる。
【００４２】
さらに、図から分かるように、シャッターアイリス全体の構造は薄い円筒形となり、複雑な出っ張りなどは存在しない。このため、このシャッターアイリス１をカメラに組み込む際の設計の自由度が高くなる。シャッターアイリス１の寸法は、一例として、径が１７ｍｍ、開口径が６．２ｍｍ、長さが６．８５ｍｍである。
なお、図１（Ｂ）から分かるように、シャッターアイリス１の平面形状が小判型であるのは、後述するズーム機構などを取り付ける際のビスの位置等を確保するためである。
【００４３】
このシャッターアイリス１のカメラ搭載時の状態と、絞り及びシャッター動作を説明する。
図５は、本実施例に係るシャッターアイリスをカメラに搭載した状態を示す図である。
このシャッターアイリス１は、光軸ＯＡを中心にして光路を囲んで配置される。そして、組み合わせ羽根８０の側が、光の出側に、その反対側が光の入側を向くように配置される。光の入側には、ズームレンズ３が配置され、出側にはフォーカス系５を介してフォトセンサ７が配置される。
【００４４】
まず、組み合わせ羽根８０を全開（図４（Ａ）の状態）としてフォトセンサ７で光量を計測する。そして、計測された光量に応じて絞りの大きさを決める。次に、決められた大きさの絞りとなるようにシャッターアイリス１のモータの回転量を決定し、この量だけモータ１０を回転させる。撮像時には、この状態から組み合わせ羽根８０を全閉（図４（Ｃ）の状態）にする（シャッターを切る）。
【図面の簡単な説明】
【００４５】
【図１】本発明の実施の形態に係るシャッターアイリスの構造を示す図であり、図１（Ａ）は側面断面図、図１（Ｂ）は正面図である。
【図２】、図１のシャッターアイリスの分解斜視図である。
【図３】本実施例の空芯ステッピングモータの構造を示す分解斜視図である。
【図４】絞りの大きさが変化した場合の羽根部材の位置関係を説明する図である。
【図５】本実施例に係るシャッターアイリスをカメラに搭載した状態を示す図である。
【図６】特許文献２に開示されている空芯ステッピングモータを用いた絞り機構を説明する側面断面図である。
【符号の説明】
【００４６】
１  シャッターアイリス            ３  ズームレンズ
５  フォーカス系                  ７  フォトセンサ
１０  空芯ステッピングモータ      １１  ステータ
１３  ステータヨーク              １４  クローポール
１５  外周側壁                    １６  切り欠き
１７  アウトサートボビン          １９  クローポールヨーク
２０  クローポール                ２１  コイル
２３  端子取り出し部              ３１  ローター
３３  カムピン取り付け板          ３５  筒部
３７  周縁部                      ３９  カムピン
４１  マグネット                  ４３  スリーブ
４５  穴                          ４７  ボール
５１  固定枠                      ５３  羽根側ベース
５５  ベース部                    ５７  外カバー部
５９  羽根収容凹部                ６１  モータ収容凹部
６３  開口                        ６５  凸部
６７  長孔                        ６８  取付部
６９  羽根固定ピン                ７０  切り欠き
７１  反羽根側ベース              ７３  第1ブラケット
７４  切り欠き                    ７５  第２ブラケット
７７  モータ収容凹部              ７８  溝
７９  穴                          ８０  組み合わせ羽根
８１  羽根部材                    ８３  絞り形成部
８５  カム溝                      ８７  羽根固定用孔
９０  押え板                      ９１  開口
９３  凸部                        ９５  長孔
９７  孔                          ９８  取付部
【図１】
2005249812.tif 000003
【図２】
2005249812.tif 000004
【図３】
2005249812.tif 000005
【図４】
2005249812.tif 000006
【図５】
2005249812.tif 000007
【図６】
2005249812.tif 000008